(57)【要約】【課題】履かせたり脱がせたりし易く、洗濯をすれば繰り返し使用できる生理用吸収パッドを備えたペット用サニタリーパンツを提供する。【解決手段】前身頃２と後身頃３とクロッチ部４とからなり、該クロッチ部の内側面には、取替自在に構成された生理用吸収パッド７を備えた布製ペット用サニタリーパンツ１であって、前記クロッチ部の内側面には、前記記生理用吸収パッドを取替自在に収容するための開口部６ａが設けられたメッシュ部６を備え、前記後身頃は左右２つに分割された布で構成され、前記クロッチ部と縫合される端部には、尻尾を出す孔部５が形成されるよう夫々に切欠部３ｃが設けられており、前記クロッチ部の前記孔部近傍部分４ａには、ゴムひもが内蔵され、伸縮自在に構成されていることを特徴とする。【選択図】図１
0003141483.tif 000002
【実用新案登録請求の範囲】
【請求項１】
前身頃と後身頃とクロッチ部とからなり、該クロッチ部の内側面に、生理用吸収パッドを取替自在に備えた布製ペット用サニタリーパンツであって、
前記クロッチ部の内側面には、前記記生理用吸収パッドを取替自在に収容するための開口部が設けられたメッシュ部を備え、
前記後身頃は左右２つに分割された布で構成され、前記クロッチ部と縫合される端部には、尻尾を出す孔部が形成されるよう夫々に切欠部が設けられており、前記クロッチ部の前記孔部近傍部分に、ゴムひもが内蔵され、伸縮自在に構成されていることを特徴とするペット用サニタリーパンツ。
【請求項２】
請求項１において、
前記生理用吸収パッドは、キルティング生地及び防水生地を積層してなる布体を綿繊維からなる布で覆った構成とされていることを特徴とするペット用サニタリーパンツ。
【考案の詳細な説明】
【技術分野】
【０００１】
本考案は、犬や猫などの雌のペット用サニタリーパンツに関し、洗濯することにより繰り返し使用できる布製のペット用サニタリーパンツに関する。
【背景技術】
【０００２】
従来より、犬や猫などの雌のペットが生理の際には、周囲を汚さないようペットにパンツや紙おむつなどを着用させることがなされてきた。近年は、様々なペットグッズの開発が進んでおり、ペットの特性に合わせて作られた専用のサニタリーパンツもあるが、体液を吸収させる生理用吸収パッドは、人間用の薄手のものを用いたり、ティッシュペーパーを重ねて代用する場合がほとんどであった。このような生理用吸収パッドは使い捨ての紙製のものが主流となっているが、環境問題への配慮から問題視される傾向にある。
また、犬や猫などが着用するものには、年々ファッション性の高いものが求められており、この傾向に付随してサニタリー用品も人間同様、安心性、快適性だけでなくファッション性が高いものが求められている。
【０００３】
下記特許文献１には、犬用の生理帯として、四角形のベース帯の内側に生理用吸収パッド（吸収性製品）を収納するためのポケットを設け、ポケットの面を犬の膣口部分にあてがい、装着用のベルトを犬の脚部の付け根前後を通して、腰の上部で締結するものが開示されている。
これによれば、ペットが生理の際でも室内を汚すことがなく、糞をするときには、生理帯を前方にずらせば、糞が生理帯に阻まれて周囲を汚してしまうようなことがないとされている。
【０００４】
下記特許文献２には、縦横に伸縮する素材を使用してパンツを縫製し、胴体部、股ぐり部にレースゴムを具備し、体液が付着するクロッチ部には撥水加工が施されたものが開示されている。
これによれば、犬が激しく動きまわっても、素材に伸縮性があるためにしっかり胴体に密着し、クロッチ部が撥水加工されているので、貼着させた生理用吸収パッドが剥がれ落ちたり、体液などがパンツの表面に染み出してしまうことを防ぐことができるとされている。
【特許文献１】特開２００２−３１５４６２号公報
【特許文献２】特開２０００−３３３５４９号公報
【考案の開示】
【考案が解決しようとする課題】
【０００５】
しかしながら、上記特許文献１のものは、犬が激しく動きまわると生理帯がずれて周囲を汚してしまう可能性があった。また生理用吸収パッドとしては、人間用のものを用いることが想定されており、上述のような環境問題を配慮したものとはいえなかった。更にここに開示されている生理帯の形状は生理用吸収パッドを保持するためのベース帯とベルトとからなるものであるから、ペットが生理中であることがあからさまにわかってしまい、ファッション性があるとはいえない。
上記特許文献２のものは、完全にパンツタイプとなっているため、動き回るペットに対して履かせたり脱がせたりがしにくい構造のものであった。特に生理の際には生理用吸収パッドを取り替える必要もあるため、上記特許文献２に記載の構造では、脱がせるときに、生理用吸収パッドに付着した体液などがペット自身やパンツを履き替えさせる飼い主に付着してしまうおそれがあった。
【０００６】
本考案は、履かせたり脱がせたりし易く、洗濯をすれば繰り返し使用できる生理用吸収パッドを備えたペット用サニタリーパンツを提供するものである。
【課題を解決するための手段】
【０００７】
本考案に係る前身頃と後身頃とクロッチ部とからなり、該クロッチ部の内側面に、生理用吸収パッドを取替自在に備えた布製ペット用サニタリーパンツであって、前記クロッチ部の内側面には、前記記生理用吸収パッドを取替自在に収容するための開口部が設けられたメッシュ部を備え、前記後身頃は左右２つに分割された布で構成され、前記クロッチ部と縫合される端部には、尻尾を出す孔部が形成されるよう夫々に切欠部が設けられており、前記クロッチ部の前記孔部近傍部分に、ゴムひもが内蔵されており、伸縮自在に構成されていることを特徴とする。
また本考案において、請求項１において、前記生理用吸収パッドは、キルティング生地及び防水生地を積層してなる布体を綿繊維からなる布で覆った構成とされていることを特徴とする。
【考案の効果】
【０００８】
本考案のペット用サニタリーパンツによれば、本考案のペット用サニタリーパンツによれば、後身頃が左右２つに分かれて大きな開口を形成する上に、クロッチ部の孔部近傍部分は伸縮自在に構成されているので、じっとしていないペットに履かせやすく、周囲を汚すことなく脱がせやすいものとすることができる。
またクロッチ部の内側面には、生理用吸収パッドを取替自在に収容するための開口部が設けられたメッシュ部を備えているので、生理用吸収パッドを容易に取替えることができる。
更にメッシュ部がクロッチ部の内側面に設けられているので、体液はメッシュ部を通過して生理用吸収パッドに吸収される。よって、体液が吸収され付着する生理用吸収パッドを取替えればよいので、頻繁に生理用サニタリーパンツを着替える必要がない。
またメッシュ部に生理用吸収パッドが収容されるので、生理用吸収パッドが外側からみえることがなく、全体の構成はパンツタイプなので、ファッション性に考慮したものを構成することもできる。
そして生理用吸収パッドは、キルティング生地及び防水生地を積層してなる布体を綿繊維からなる布で覆った構成とすれば、洗濯すれば繰り返し使うことができる経済性及び環境問題に配慮したものとすることができる。
また該生理用吸収パッドは、まず表面に構成された綿繊維からなる布で体液を吸収し、そこで吸収できなかった体液がキルティング生地に吸収される。キルティング生地は内方に綿（わた）が構成されているので、ここに体液のほとんどが吸収されることになる。そしてキルティング生地の下方には、防水生地が積層されているので、体液が生理用吸収パッドを通過して生理用サニタリーパンツの表面に染み出さないようにすることができる。
【考案を実施するための最良の形態】
【０００９】
以下、本考案の実施の形態を図面を参照しながら、詳しく説明する。
図１は本考案に係るペット用サニタリーパンツの一例を示す全体斜視図、図２（ａ）は同ペット用サニタリーパンツのクロッチ部の内側面を示す部分平面図、図２（ｂ）は図２（ａ）と同様の図であり、後身頃を広げた状態を示した図、図３は同ペット用サニタリーパンツに取付られる生理用吸収パッドの一例を示し、一部は断面を示した全体斜視図、図４は同ペット用サニタリーパンツの変形例であり、着用状態を示す図である。ここでは主に雌の小型犬用にデザインされたサニタリーパンツについて説明するがこれに限定されるものではない。またペットに着用させた際に腹側に位置する身頃を前身頃２、背中側に位置する身頃を後身頃３として説明する。
【００１０】
本考案のサニタリーパンツ１は、図１に示すように前身頃２と後身頃３とクロッチ部４とからなり、クロッチ部４の内側面には、取替自在に構成された生理用吸収パッド７を備えている。
前身頃２及び後身頃３の胴周り方向の端部を縫合することにより、胴周り開口部１ａが形成される。前身頃２とクロッチ部４とは一枚の布を所定の形状に裁断して一体に構成され、クロッチ部４の後方向端部４ｂと後身頃３の下端部３ｃとを縫合することにより、一対の脚周り開口部１ｂが形成される。
胴周り開口部１ａ及び脚周り開口部１ｂには、ゴムなどの伸縮性素材が配されており、布で内包して縫合されていることにより、締め付けすぎることなく、胴回り及び脚周りにフィットするように構成されている。
尚、図例のものは前身頃２とクロッチ部４とが一体に形成されたものを示しているが、これに限定されるものではなく、それぞれを別体に構成して縫合したものであってもよい。
【００１１】
前身頃２、後身頃３、クロッチ部４とは縦横に伸縮性を有するソフトなストレッチ生地が好ましく、ツーウェイトリコット、ツーウェイパワーネット、トリコネット、天竺、フライスなどが挙げられるがこれに限定されるものではない。素材としては、綿やシルクなどの天然素材、或いはこれら天然素材とナイロン繊維、ポリウレタン繊維、ポリエステル繊維などの化学素材とを組み合わせたものとすることができる。
【００１２】
図１及び図２（ａ）（ｂ）に示すように、後身頃３は左右２つに分割された布で構成され、図中、着用時に右側にくる後身頃３は右後身頃３ａ、左側にくる後身頃３は左後身頃３ｂである。前身頃２の端部と縫合されていない右後身頃３ａ及び左後身頃３ｂの端部はボタン８及びボタン孔（不図示）が設けられており、これにより、後身頃３が開閉できるようになっている。クロッチ部４の後方向端部４ｂと縫合される端部には、尻尾を出す孔部５が形成されるよう夫々に切欠部３ｃが設けられている。
切欠部３ｃは、右後身頃３ａと左後身頃３ｂとをボタン８止めした際に、孔部５が形成されるように斜めにカットされ、クロッチ部４の孔部近傍部分４ａとで三角形状が構成されるようになっている（図１、図２（ａ）参照）。
尚、切欠部３ｃ、孔部５の形状は図例のものに限定されず、切欠部３ｃを湾曲した形状などとしてもよい。また２つに分割された後身頃３を留める部材は、図例のボタン８に限定されず、ファスナーやスナップボタン、マジックテープ（登録商標）とすることもできる。
【００１３】
クロッチ部４の孔部近傍部分４ａには、ゴムひもが内蔵されており、白抜矢示方向に伸縮自在に構成されている。よって、ゴムひもが内蔵される孔部近傍部分４ａは、ゴムひもを伸ばして引っ張った状態で布が直線的に張った状態になるように（図２（ｂ）参照）構成されている。
これによれば、後身頃３のボタン８を外して、飼い主などの手によって開状態とし、夫々を左右方向に引っ張ると、上述のゴムひもが伸び、大きな開口部５ａが形成される。よって、動き回ってじっとしていないペットに履かせやすく、周囲を汚すことなく脱がせやすいものとすることができる。
【００１４】
クロッチ部４の内側面には、生理用吸収パッド７を取替自在に収容するための開口部６ａが設けられたメッシュ部６を備えている。メッシュ部６は網目状で伸縮性のある布が用いられ、クロッチ部４の内側面を覆うように縦長の布体で構成されている。クロッチ部４の内側面に配置したメッシュ部６の脚周り開口部１ｂ側を縫合することにより、前後方向の端部には開口部６ａが形成される。メッシュ部６のメッシュの細かさは特に限定されるものではないが、体液はメッシュ部６を通過して生理用吸収パッド７に効率よく吸収される程度のものが好ましい。よって、体液が吸収され付着する生理用吸収パッド７を取替えればよいので、頻繁に生理用サニタリーパンツ１を着替える必要がない。
このように開口部６ａが前後方向両側に形成されるので、どちら側からでも生理用吸収パッド７の取替えができる。
またメッシュ部６がクロッチ部４の内側面に設けられているので、生理用吸収パッド７が外側からみえることがなく、全体の構成はパンツタイプなので、ファッション性に考慮したものを構成することができる。
【００１５】
図３は、ペット用サニタリーパンツ１に取付られる生理用吸収パッド７の一例を示している。
生理用吸収パッド７は、キルティング生地７ｂ及び防水生地７ｃを積層してなる布体を綿繊維からなる布７ａで覆った構成とされており、楕円形状とした布体を重ね、その周囲は縫合されている。
生理用吸収パッド７は、図３の部分拡大図に示されるように、ペットの股に当たる側を上面側とすると、上から、綿繊維からなる布７ａ（７ａａ）、キルティング生地７ｂ、防水加工が施された防水生地７ｃ、布７ａ（７ａｂ）という順で積層して構成される。
生理用吸収パッド７は、まず表面に構成された綿繊維からなる布７ａ（７ａａ）で体液を吸収し、そこで吸収できなかった体液がキルティング生地７ｂに吸収される。キルティング生地７ｂは内方の綿（わた）層７１、外方の表面層７２で構成されており、表面層７２を通過した体液のほとんどが綿層７１に吸収される。そしてキルティング生地７ｂの下方には、防水生地７ｃが積層されているので、体液が生理用吸収パッド７を通過して生理用サニタリーパンツ１の表面に染み出さないようにすることができる。
ここでは特に図示していないが、防水生地７ｃとなる側が下面側に配置されてメッシュ部６に収容されるように、生理用吸収パッド７の上面側、下面側が区別できる構成としたものが望ましい。例えば上面側と下面側の布７ａの模様や色を変えたり、いずれかに印を付すなどすれば、容易に上面側、下面側を判別することができ、正しい向きで生理用吸収パッド７を使用することができる。
【００１６】
これによれば、生理用吸収パッド７は、布からなるものであるので、洗濯すれば繰り返し使うことができ、経済性及び環境問題に配慮したものとすることができる。
また使用する布の色柄や生理用吸収パッド７の形状をデザインすれば、ファッション性に優れた生理用吸収パッド７とすることができ、生理用サニタリーパンツ１のデザインと共通するコンセプトでデザインすれば、一体性があり、おしゃれ感のあるものとすることができる。
尚、生理用吸収パッド７の積層構造、形状は図例のものに限定されるものではなく、例えば生理中の体液量が少ない小型犬であれば、防水生地７ｃの層がないものとすることもできる。また夜間は生理用吸収パッド７の取替えがこまめにできないので、夜間用としては、キルティング生地７ｂを２枚重ねにし、吸収性を高めたものとすることもできる。
【００１７】
図４は同ペット用サニタリーパンツの変形例であり、着用状態を示す図である。
変形例といっても、後身頃３やボタン８部分にデザインがなされている点が上述の例と異なるだけで、その他の構成は同様である。
図中、Ｄは雌の小型犬の胴体、Ｄａは後脚、Ｄｂは尻尾を示しており、その他の共通する部分は上述の例と同じ符号を付している。
このように後身頃３にフリルやレースを付けたり、ボタン８に花形状の装飾をすれば、ファッション性の高いペット用サニタリーパンツを構成することができ、生理用吸収パッドが外側からはみえないため、生理中であっても、それを感じさせないおしゃれ感のあるものとすることができる。
【００１８】
尚、ペット用サニタリーパンツ１、生理用吸収パッドの形状、デザインは図例のものに限定されるものではなく、犬だけでなく、猫用のサニタリーパンツとしても適用可能である。
【図面の簡単な説明】
【００１９】
【図１】図１は本考案に係るペット用サニタリーパンツの一例を示す全体斜視図である。
【図２】（ａ）は同ペット用サニタリーパンツのクロッチ部の内側面を示す部分平面図、（ｂ）は図２（ａ）と同様の図であり、後身頃を広げた状態を示した図である。
【図３】同ペット用サニタリーパンツに取付られる生理用吸収パッドの一例を示し、一部は断面を示した全体斜視図である。
【図４】同ペット用サニタリーパンツの変形例であり、着用状態を示す図である。
【符号の説明】
【００２０】
１      ペット用サニタリーパンツ
２      前身頃
３      後身頃
４      クロッチ部
４ａ      孔部近傍部分
５      孔部
６      メッシュ部
６ａ      開口部
７      生理用吸収パッド
【図１】
0003141483.tif 000003
【図２】
0003141483.tif 000004
【図３】
0003141483.tif 000005
【図４】
0003141483.tif 000006